(57)【要約】【課題】ＮＧＮを介して端末機器間でＩＰｖ６によるピア・ツー・ピア通信が行えるようにする。【解決手段】ＮＧＮ３と、それぞれＮＧＮに通信回線４、５を介して接続された複数の端末機器１、２とからなり、通信回線に対し、識別番号として電話番号が固定的に割り当てられる一方、通信回線に接続された端末機器とＮＧＮとの接続の確立のたびにＩＰｖ６アドレスが動的に割り当てられ、電話番号とＩＰｖ６アドレスに基づきＩＰ通信がなされる通信システムを前提とする。ピア・ツー・ピア通信に先立って端末機器のそれぞれとＮＧＮとの接続の確立時に割り当てられたＩＰｖ６アドレスを、通信の確立後、端末機器間において電話番号に基づくパケット通信を行うことで互いに通知し、各端末機器において相手方のＩＰｖ６アドレスを当該相手方の電話番号と関係付けて記憶し、当該ＩＰｖ６アドレスに基づいて端末機器間でピア・ツー・ピア通信を行う。【選択図】図２
2019213005.tif 000002
【特許請求の範囲】
【請求項１】
ＮＧＮ（Next Generation Network）と、それぞれ前記ＮＧＮに通信回線を介して接続された複数の端末機器とからなり、前記通信回線に対し、識別番号として電話番号が固定的に割り当てられる一方、当該通信回線に接続された前記端末機器と前記ＮＧＮとの接続が確立される毎にＩＰｖ６アドレスが動的に割り当てられ、前記電話番号およびＩＰｖ６アドレスに基づいてＩＰ通信がなされる通信システムにおいて前記端末機器間でＩＰｖ６によるピア・ツー・ピア通信を行う方法であって、
前記ピア・ツー・ピア通信に先立って前記端末機器のそれぞれと前記ＮＧＮとの接続の確立によって割り当てられた前記ＩＰｖ６アドレスを、前記端末機器間において前記電話番号に基づくパケット通信を行うことで互いに通知し、前記端末機器のそれぞれにおいて、取得した相手方の前記ＩＰｖ６アドレスを当該相手方の電話番号と関係付けて記憶するとともに、前記ＩＰｖ６アドレスに基づいて前記端末機器間で前記ピア・ツー・ピア通信を行うことを特徴とする方法。
【請求項２】
前記端末機器間における前記電話番号に基づく前記パケット通信による前記ＩＰｖ６アドレスの前記通知は、前記端末機器間において互いに相手方の通信回線に対し自己の前記ＩＰｖ６アドレスを含むＳＩＰ（Session Initiation Protocol）のメッセージ信号を送信し、前記端末機器のそれぞれにおいて相手方の通信回線から着信した前記メッセージ信号から前記相手方の前記ＩＰｖ６アドレスを取得することによって行うことを特徴とする請求項１に記載の方法。
【請求項３】
前記端末機器にＩＳＤＮ端末を接続するためのインターフェースと、ＩＳＤＮ信号をＩＰｖ６信号に変換する機能とを付加し、前記端末機器のそれぞれにＩＳＤＮ端末を接続することによって、前記ＩＳＤＮ端末間において、関係する前記端末機器を介して前記ＩＰｖ６によるピア・ツー・ピア通信を行うことを特徴とする請求項１または請求項２に記載の方法。
【発明の詳細な説明】
【技術分野】
【０００１】
本発明は、ＮＧＮ（Next Generation Network; 次世代通信網）を介してＩＰｖ６によるピア・ツー・ピア通信を行う方法に関するものである。
ここで、ＩＰはインターネット上のデータ通信の方法を定めた規約であるインターネットプロトコル（Internet Protocol）の省略形であり、ＩＰｖ６はインターネットプロトコル・バージョン６（Internet Protocol version 6）の省略形である（以下同様）。
【背景技術】
【０００２】
近年、我が国において、基幹通信網は、公衆交換電話網（Public Switched Telephone Network; ＰＳＴＮ）からＩＰ通信技術を用いた次世代通信網（Next Generation Network; ＮＧＮ）に移行しつつある。
【０００３】
ＮＧＮは、ＰＳＴＮで用いられる回線交換方式と同様の安全性と、電話番号を発信者ＩＤ（識別番号）とする通信回線の指定方法の利便性と、ＩＰ方式の経済性とを併せ持つネットワークである。
ＮＧＮにおいては、これに接続された各通信回線に割り当てた電話番号をネットワーク側で管理し、不正なアクセスはネットワークの入口でブロックする等のセキュリティ対策を行うことによって、安全で高品質なサービスを提供する。
また、ＮＧＮによれば、音声通信をデータ通信と組み合わせたサービスや、電話・データ通信・ストリーミング放送を融合したサービスを、ＩＰ方式による高速通信網を有効利用して、低コストで提供することができる。
【０００４】
我が国におけるＮＧＮの通信サービスとしては、日本電信電話株式会社（ＮＴＴ）グループが提供する「フレッツ光ネクスト」がある。
フレッツ光ネクストにおいては、光回線終端装置（Optical network Unit; ＯＮＵ）、光回線、回線収容設備、ＩＰ通信網から構成されたＮＧＮを通じてＩＰ通信が行われ、電話・テレビ電話サービス、インターネット接続事業者（Internet Service Provider; ＩＳＰ）アクセスサービス、ＩＰ放送、ＶｏＤ（Video on Demand; ビデオ・オン・デマンド）サービス、および企業内網サービス等の利用が可能になっている（例えば、非特許文献１参照）。
【０００５】
ところで、フレッツ光ネクストによれば、ＮＧＮに接続された通信回線に対し、識別番号としての電話番号が固定的に割り当てられる一方、当該通信回線に接続された端末機器がＮＧＮとの接続を確立する毎に、ＩＰｖ６アドレスが動的に割り当てられる。
【０００６】
すなわち、フレッツ光ネクストでは、ＩＰｖ６アドレスは、通信回線に固有のものではなく、通信回線に接続された端末機器とＮＧＮとの接続の確立のたびに通信回線に割り当てられ、そのため、端末機器間においては、互いに相手方の通信回線に割り当てられたＩＰｖ６アドレスは不明である。
【０００７】
ところで、端末機器間でＩＰｖ６によるピア・ツー・ピア通信を行うためには、互いに相手方のＩＰｖ６アドレスが知られている必要がある。
しかしながら、上述のように、フレッツ光ネクストにおいては、ピア・ツー・ピア通信を行うべき一対の端末機器は互いに相手方の通信回線に割り当てられたＩＰｖ６アドレスを知り得ないから、ピア・ツー・ピア通信を行うことができないという問題があった。
【０００８】
また、フレッツ光ネクストにおいては、ＰＳＴＮのサービス総合デジタル網（Integrated Services Digital Network; ＩＳＤＮ）で提供されていたサービスの一部（例えば、Ｄ−ＣＨパケット通信、Ｂ−ＣＨパケット通信、非制限デジタル通信等）がサポートされていないが、現在もＩＳＤＮサービスを利用する多数のユーザーが存在するので、ＮＧＮへの移行後もＩＳＤＮサービスを継続利用可能とするために、ＮＧＮの通信回線に接続してＩＳＤＮ信号をＮＧＮに伝送するための変換手段を提供する必要がある。
【０００９】
しかしながら、ＩＳＤＮ信号をＩＰｖ６のパケット信号に変換してＮＧＮに伝送する場合、相手方の通信回線のＩＰｖ６アドレスが不明のために、上記ピア・ツー・ピア通信の場合と同様に、ＩＳＤＮ端末間の接続ができないという問題があった。
【先行技術文献】
【非特許文献】
【００１０】
【非特許文献１】「技術参考資料  ＩＰ通信網サービスのインターフェース -フレッツシリーズ- ＜光ネクスト、光ライト、光ＷｉＦｉアクセス編＞  第２２版」、西日本電信電話株式会社、２０１８年２月１日発行
【発明の概要】
【発明が解決しようとする課題】
【００１１】
したがって、本発明の課題は、ＮＧＮを介して端末機器間でＩＰｖ６によるピア・ツー・ピア通信が行えるようにすることにある。
【課題を解決するための手段】
【００１２】
上記課題を解決するため、本発明によれば、ＮＧＮ（Next Generation Network）と、それぞれ前記ＮＧＮに通信回線を介して接続された複数の端末機器とからなり、前記通信回線に対し、識別番号として電話番号が固定的に割り当てられる一方、当該通信回線に接続された前記端末機器と前記ＮＧＮとの接続が確立される毎にＩＰｖ６アドレスが動的に割り当てられ、前記電話番号およびＩＰｖ６アドレスに基づいてＩＰ通信がなされる通信システムにおいて前記端末機器間でＩＰｖ６によるピア・ツー・ピア通信を行う方法であって、前記ピア・ツー・ピア通信に先立って前記端末機器のそれぞれと前記ＮＧＮとの接続の確立によって割り当てられた前記ＩＰｖ６アドレスを、前記端末機器間において前記電話番号に基づくパケット通信を行うことで互いに通知し、前記端末機器のそれぞれにおいて、取得した相手方の前記ＩＰｖ６アドレスを当該相手方の電話番号と関係付けて記憶するとともに、前記ＩＰｖ６アドレスに基づいて前記端末機器間で前記ピア・ツー・ピア通信を行うことを特徴とする方法が提供される。
【００１３】
本発明の好ましい実施例によれば、前記端末機器間における前記電話番号に基づく前記パケット通信による前記ＩＰｖ６アドレスの前記通知は、前記端末機器間において互いに相手方の通信回線に対し自己の前記ＩＰｖ６アドレスを含むセッション確立プロトコル（Session Initiation Protocol; ＳＩＰ）のメッセージ信号（ＭＥＳＳＡＧＥパケット）を送信し、前記端末機器のそれぞれにおいて相手方の通信回線から着信した前記メッセージ信号から前記相手方の前記ＩＰｖ６アドレスを取得することによって行う。
ここで、ＳＩＰとは、ＩＰ網上において音声や映像等の通信をリアルタイムで行うためのシグナリング・プロトコル（信号制御プロトコル）をいう（以下同様）。
【００１４】
本発明の別の好ましい実施例によれば、前記端末機器にＩＳＤＮ端末を接続するためのインターフェースと、ＩＳＤＮ信号をＩＰｖ６信号に変換する機能とを付加し、前記端末機器のそれぞれにＩＳＤＮ端末を接続することによって、前記ＩＳＤＮ端末間において、関係する前記端末機器を介して前記ＩＰｖ６によるピア・ツー・ピア通信を行う。
【発明の効果】
【００１５】
本発明によれば、ピア・ツー・ピア通信に先立って各端末機器とＮＧＮとの接続の確立によって割り当てられたＩＰｖ６アドレスを、端末機器間において電話番号に基づくパケット通信を行うことで互いに通知し、各端末機器において、取得した相手方のＩＰｖ６アドレスを当該相手方の電話番号に関係付けて記憶する。
それによって、端末機器間においてアドレスの問題（互いに相手方のＩＰｖ６アドレスが不明であるという問題）が解決され、端末機器間においてＩＰｖ６によるピア・ツー・ピア通信を行うことが可能となる。
【図面の簡単な説明】
【００１６】
【図１】本発明によるＮＧＮを介してＩＰｖ６によるピア・ツー・ピア通信を行う方法が適用される通信システムを例示した図である。
【図２】本発明による方法を説明するシーケンス図である。
【発明を実施するための形態】
【００１７】
以下、添付図面を参照しつつ、本発明の構成を好ましい実施例に基づいて説明する。
図１Ａ〜Ｃは、本発明によるＮＧＮを介してＩＰｖ６によるピア・ツー・ピア通信を行う方法が適用される通信システムを例示した図である。
図１Ａを参照して、この実施例では、通信システムは、日本電信電話株式会社（ＮＴＴ）グループが提供する通信サービス「フレッツ光ネクスト」が運営される通信システムを前提とし、ＮＧＮ（Next Generation Network；次世代通信網）３と、それぞれＮＧＮ３に通信回線（Ethernet）４、５を介して接続された複数の端末機器１、２とから構成されている。
なお、図１Ａでは、説明の簡略化のため、ＮＧＮ３を介して対向する２つの端末機器１、２のみを例示した。
【００１８】
図１Ｂは、図１ＡのＮＧＮ３の構成をより詳細に示した図である。
図１Ｂに示すように、ＮＧＮ３は、ＩＰ通信網３０と、第１の通信回線４側の回線収容設備３３と、回線収容設備３３に光回線４１を介して接続された第１の通信回線４側のＯＮＵ３１と、第２の通信回線５側の回線収容設備３４と、回線収容設備３４に光回線４２を介して接続された第２の通信回線５側のＯＮＵ３２を有している。
【００１９】
そして、ＯＮＵ３１には第１の通信回線４を介して第１の端末機器１が接続され、ＯＮＵ３２には第２の通信回線５を介して第２の端末機器２が接続されている。
【００２０】
本発明によれば、ピア・ツー・ピア通信に先立って、まず、端末機器１、２のそれぞれが自己のＩＰｖ６アドレスを取得する。これは次のように実行される。
すなわち、端末機器１、２は、関係する通信回線４、５に接続されて立ち上がった（リンクアップした）時点で、関係するＯＮＵ３１、３２（ＯＮＵのルータとして機能する部分）に対してＲＳメッセージ（ルータ要請）を送信する。
【００２１】
ＲＳメッセージを受信したＯＮＵ３１、３２（ＯＮＵのルータとして機能する部分）は、当該ＲＳメッセージの送信元の端末機器１、２に対してＩＰｖ６アドレスのプレフィックス（アドレスの一部）を含むＲＡメッセージ（ルータ広告）を送信する。
【００２２】
そして、ＲＡメッセージを受信した端末機器１、２は、プレフィックスと自己のＭＡＣアドレスから自己のＩＰｖ６アドレス（グローバルユニキャストアドレス）を生成（取得）する。
【００２３】
なお、端末機器がピア・ツー・ピア通信に先立って自己アドレスを生成（取得）する方法は、これに限定されず、公知の適当な方法（例えば、ステートレス自動設定等）が使用可能である。
【００２４】
本発明によれば、次に、ＮＧＮの電話機能を実現する通信方式ＳＩＰ（Session Initiation Protocol）のメッセージ信号（ＭＥＳＳＡＧＥパケット）を用いて、端末機器１、２間において互いに自己のＩＰｖ６アドレスを通知する。これは、図２に示したシーケンスで実行する。
【００２５】
図２を参照して、今、第１の通信回線４の電話番号をＴｅｌ．Ａ、ＩＰアドレスをＡｄｄｒ．Ａとし、第２の通信回線５の電話番号をＴｅｌ．Ｂ、ＩＰアドレスをＡｄｄｒ．Ｂとして、例えば、第１の端末機器１から第２の端末機器２に対し、第２の通信回線５の電話番号Ｔｅｌ．Ｂを宛先とするＳＩＰのメッセージ信号を、このメッセージに自己の通信回線（第１の通信回線）４の電話番号Ｔｅｌ．ＡおよびＩＰアドレスＡｄｄｒ．Ａを添付して送信する（図２のＳ１）。
【００２６】
そして、ＮＧＮ３は、当該メッセージ信号を電話番号Ｔｅｌ．Ｂに基づいて第２の端末機器２に送信する（図２のＳ２）。
第２の端末機器２は、メッセージ信号を受信し、このメッセージ信号から第１の通信回線４のＩＰアドレスＡｄｄｒ．Ａおよび電話番号Ｔｅｌ．Ａを取得するとともに、ＩＰアドレスＡｄｄｒ．Ａを電話番号Ｔｅｌ．Ａに関係付けて記憶する（図２のＳ３）。
【００２７】
次いで、第２の端末機器２は、第１の通信回線４の電話番号Ｔｅｌ．Ａを宛先とするＳＩＰのメッセージ信号を、このメッセージ信号に自己の通信回線（第２の通信回線）５の電話番号Ｔｅｌ．ＢおよびＩＰアドレスＡｄｄｒ．Ｂを添付して送信する（図２のＳ４）。
【００２８】
そして、ＮＧＮ３は、当該メッセージ信号を電話番号Ｔｅｌ．Ａに基づいて第１の端末機器１に送信する（図２のＳ５）。
第１の端末機器１は、メッセージ信号を受信し、このメッセージ信号から第２の通信回線５のＩＰアドレスＡｄｄｒ．Ｂおよび電話番号Ｔｅｌ．Ｂを取得するとともに、ＩＰアドレスＡｄｄ．Ｂを電話番号Ｔｅｌ．Ｂに関係付けて記憶する（図２のＳ６）。
【００２９】
こうして、第１および第２の端末機器１、２間におけるアドレスの問題（互いに相手方のＩＰｖ６アドレスが不明であること）が解決され、それによって、第１および第２の端末機器１、２間においてＩＰｖ６によるピア・ツー・ピア通信が可能となる（図２のＳ７）。
【００３０】
本発明によれば、ＮＧＮの特徴であり、目指すところの安全を維持、保障しつつ、電話番号によって識別される通信回線に提供される通信サービス（フレッツ光ネクスト等）においても、ＩＰｖ６によるピア・ツー・ピア通信が可能となる。
【００３１】
さらに、本発明によれば、ＮＧＮを介して、ＩＳＤＮ端末間においてＩＰｖ６によるピア・ツー・ピア通信を行うこともできる。
この場合には、図１Ｃに示すように、図１Ａの通信システムにおいて、第１および第２の端末機器１、２にそれぞれ変換装置１０、２０（ＩＳＤＮ端末を接続するためのインターフェースと、ＩＳＤＮ信号をＩＰｖ６信号に変換する機能を備えた装置）を付加し、各端末機器１、２の変換装置１０、２０にＩＳＤＮ端末１１、２１を接続する。
【００３２】
そして、例えば、ＩＳＤＮ端末１１からＩＳＤＮ端末２１にデータ送信する場合、ＩＳＤＮ端末１１から第１の端末機器１に接続先電話番号Ｔｅｌ．Ｂを含む通信要求を送信すると、図２の実施例と同様に、第１の端末機器１は第２の端末機器２に対し自己の通信回線（第１の通信回線）４の電話番号Ｔｅｌ．ＡおよびＩＰアドレスＡｄｄｒ．Ａを含むＳＩＰのメッセージ信号を送信する。
【００３３】
第２の端末機器２は、受信したメッセージ信号から第１の通信回線４のＩＰアドレスＡｄｄｒ．Ａおよび電話番号Ｔｅｌ．Ａを取得し、ＩＰアドレスＡｄｄｒ．Ａを電話番号Ｔｅｌ．Ａを関係付けて記憶した後、第１の端末機器１に対し自己の通信回線（第２の通信回線）５の電話番号Ｔｅｌ．ＢおよびＩＰアドレスＡｄｄｒ．Ｂを含むＳＩＰのメッセージ信号を送信する。
【００３４】
次いで、第１の端末機器１は、受信したメッセージ信号から第２の通信回線５のＩＰアドレスＡｄｄｒ．Ｂおよび電話番号Ｔｅｌ．Ｂを取得し、ＩＰアドレスＡｄｄｒ．Ｂを電話番号Ｔｅｌ．Ｂに関係付けて記憶する。
【００３５】
それによって、第１および第２の端末機器１、２は、互いに相手方のＩＰアドレスを取得してアドレスの問題（互いに相手方のＩＰアドレスが不明であること）を解決し、直接通信可能となり、以後、ＩＳＤＮ端末１１、２１間において交換装置１０、２０を介してＩＰｖ６通信が可能となる。
【００３６】
こうして、本発明の方法によれば、端末機器１、２（変換装置１０、２０）の下位に接続されたＩＳＤＮ端末１１、１２の通信、すなわち、Ｄ−ＣＨパケット通信およびＢ−ＣＨパケット通信をＮＧＮのＩＰｖ６通信を介して実行することができる。
【００３７】
以上、本発明の好ましい実施例について述べたが、本発明の構成は上記実施例に限定されるものではなく、当業者が本願の特許請求の範囲に記載した構成の範囲内で種々の変形例を案出し得ることは言うまでもない。
【００３８】
例えば、本発明の別の実施例によれば、センサーネットワークや工場遠隔制御システム、インフラ監視システム等において、センター側と端末側との間の情報伝達を担うＩｏＴ通信をＮＧＮのフレッツ光ネクストを介して行うことができる。
【００３９】
また、上記実施例では、ＮＴＴグループが提供するＮＧＮの通信サービス、フレッツ光ネクストを前提としているが、本発明の方法を、通信回線が電話番号で識別され、動的に割り当てられたＩＰｖ６アドレスが相互に交換可能な他の通信サービスにも適用することができる。
【符号の説明】
【００４０】
１  第１の端末機器
２  第２の端末機器
３  ＮＧＮ
４  第１の通信回線
５  第２の通信回線
１０  変換装置
１１  ＩＳＤＮ端末
２０  変換装置
２１  ＩＳＤＮ端末
３０  ＩＰ通信網
３１、３２  ＯＮＵ
３３、３４  回線収容設備
４１、４２  光回線
【図１】
2019213005.tif 000003
【図２】
2019213005.tif 000004